(57)【要約】【課題】汁受け皿及び五徳の回転を簡単な構造で確実に防止できるようにしたコンロを提供する。【解決手段】天板２に形成されたバーナ用開口１１の周縁部に吊設される円環状の汁受け皿５を設ける。汁受け皿５に載置される五徳６を設ける。コンロ筐体１０に固定されてバーナ用開口１１から上方に突出する突出部材２１を設ける。汁受け皿５に、突出部材２１が貫通して回り止めされる貫通孔２６を形成する。五徳６の一部に、汁受け皿５の貫通孔２６を介して突出した突出部材２１に係合する凹部２７を設ける。【選択図】図２
2014206357.tif 000002
【特許請求の範囲】
【請求項１】
コンロ筐体内に設置されて外周に複数の炎孔が形成されたバーナヘッドを有するコンロバーナと、該バーナヘッドを露出させるバーナ用開口を有してコンロ筐体の上面を覆う天板と、前記バーナ用開口の周縁部に吊設される円環状の汁受け皿と、該汁受け皿に載置される五徳とを備えるコンロにおいて、
前記コンロ筐体に固定されて前記バーナ用開口から上方に突出する突出部材を設け、
前記汁受け皿に、前記突出部材が貫通して回り止めされる貫通孔を設け、
前記五徳の一部に、前記汁受け皿の貫通孔を介して突出した突出部材に係合する凹部を設けたことを特徴とするコンロ。
【請求項２】
前記五徳は、前記凹部が前記突出部材に係合したとき、前記汁受け皿の貫通孔を貫通した部分の前記突出部材と前記貫通孔とを上方から覆うことを特徴とする請求項１記載のコンロ。
【請求項３】
前記突出部材を、前記コンロバーナの周囲に所定間隔を存して少なくとも３つ設け、各突出部材に、前記汁受け皿の底面の一部に当接して該汁受け皿の下方への動きを規制する規制部を設けたことを特徴とする請求項１又は２記載のコンロ。
【発明の詳細な説明】
【技術分野】
【０００１】
本発明は、円環状の汁受け皿の回り止め構造を有するコンロに関する。
【背景技術】
【０００２】
この種のコンロは、コンロ筐体内に設置されて外周に複数の炎孔が形成されたバーナヘッドを有するコンロバーナと、該バーナヘッドを露出させるバーナ用開口を有してコンロ筐体の上面を覆う天板とを備えると共に、前記バーナ用開口の周囲には円環状の汁受け皿及び五徳が設けられている（特許文献１参照）。そして、汁受け皿や五徳は、バーナ用開口の周縁に取り外し自在に載置されて、掃除や洗浄が容易に行えるようになっている。
【先行技術文献】
【特許文献】
【０００３】
【特許文献１】特開２００６−２０７９７３号公報
【発明の概要】
【発明が解決しようとする課題】
【０００４】
ところで、ガスバーナの周囲一側部には、バーナヘッドに点火するための点火プラグや、炎孔への着火状態を検出する熱電対が設けられる。このとき、点火プラグや熱電対は、汁受け皿に形成した透孔を通して汁受け皿上に突出する。
【０００５】
しかし、汁受け皿はその形状が円環状であることにより、バーナ用開口に取り付けた状態でバーナヘッドの回りを自由に回転する。このため、万一、汁受け皿が外部から衝撃を受けると、汁受け皿が不用意に回転したり、バーナ用開口に対する位置ずれが生じる。そして、汁受け皿に回転や位置ずれが生じた場合には、点火プラグや熱電対が汁受け皿の透孔の内縁と接触し、点火プラグや熱電対が損傷するおそれがある。
【０００６】
更に、五徳が外部から衝撃を受けてバーナ用開口の周方向に回転した場合にも、この影響を受けて汁受け皿も回転するおそれがある。また、五徳の炎炙りを防止するためにバーナヘッドにおいては五徳爪に対応する位置に小炎孔が設けられる場合があるが、五徳が回転すると、五徳爪と小炎孔とが位置ずれして五徳爪の炎炙りが生じ、これによって熱効率が低下するおそれがある。
【０００７】
上記の点に鑑み、本発明は、汁受け皿及び五徳の回転を簡単な構造で確実に防止できるようにしたコンロを提供することを目的とする。
【課題を解決するための手段】
【０００８】
かかる目的を達成するために、本発明は、コンロ筐体内に設置されて外周に複数の炎孔が形成されたバーナヘッドを有するコンロバーナと、該バーナヘッドを露出させるバーナ用開口を有してコンロ筐体の上面を覆う天板と、前記バーナ用開口の周縁部に吊設される円環状の汁受け皿と、該汁受け皿に載置される五徳とを備えるコンロにおいて、前記コンロ筐体に固定されて前記バーナ用開口から上方に突出する突出部材を設け、前記汁受け皿に、前記突出部材が貫通して回り止めされる貫通孔を設け、前記五徳の一部に、前記汁受け皿の貫通孔を介して突出した突出部材に係合する凹部を設けたことを特徴とする。
【０００９】
上記構成によれば、前記突出部材のみによって汁受け皿と五徳との両方を同時に確実に回り止めすることができる。汁受け皿が回り止めされることにより、例えば、汁受け皿を貫通するようにして点火プラグや熱電対を設けても、点火プラグや熱電対を損傷させることがない。また、五徳が所定の位置に保持されることにより、例えば、五徳爪の炎炙りを防止するための五徳用の小炎孔がバーナヘッドに設けられているときには、小炎孔に対する五徳爪の位置ずれを確実に防止することができ、五徳爪の炎炙りによる熱効率の低下を抑えることができる。
【００１０】
また、本発明においては、前記五徳の凹部が前記突出部材に係合したとき、前記汁受け皿の貫通孔を貫通した部分の前記突出部材と前記貫通孔とを上方から覆うようにすることで、煮汁や食用油等が貫通孔からコンロ筐体内に入り難くなる。
【００１１】
ところで、近年、この種のコンロにおいては、美観を高めると共に清掃性を向上させるために、ガラス製の天板を採用することが行われている。この天板には、耐衝撃性の高い強化ガラスや耐熱性に優れた結晶化ガラスが採用されるが、天板上に高所から重量物を落下させたとき等には、天板が割れる可能性がある。そして、万一天板に割れが生じた場合には、バーナヘッドの周囲に五徳や汁受け皿を安定した状態で支持することが困難となり、コンロバーナが正常に機能する場合であっても、天板が割れたことにより、調理容器を五徳に安定して載置することができず、調理を行うこともできなくなる。
【００１２】
そこで、本発明においては、前記突出部材を、前記コンロバーナの周囲に所定間隔を存して少なくとも３つ設け、各突出部材に、前記汁受け皿の底面の一部に当接して該汁受け皿の下方への動きを規制する規制部を設けることが好ましい。こうすることで、万一、ガラス製天板が割れ落ちても、汁受け皿と五徳の落下を防止して調理容器を五徳に安定して載置することができ、調理可能な状態に維持することができる。
【図面の簡単な説明】
【００１３】
【図１】本発明の実施形態のコンロを示す説明的平面図。
【図２】本実施形態のコンロの要部を示す説明的断面図。
【図３】汁受け皿の平面図。
【図４】（ａ）は五徳の斜視図、（ｂ）は五徳の底面図。
【図５】他の実施形態のコンロの一部の説明的断面図。
【発明を実施するための形態】
【００１４】
本発明の実施形態を図面に基づいて説明する。本実施形態のコンロ１は、図１に平面視した形状とされ、例えば、耐熱性に優れた結晶化ガラス等で形成されるガラス製の天板２が装着された所謂ドロップイン式コンロである。
【００１５】
天板２からはコンロバーナ３のバーナヘッド４が露出しており、バーナヘッド４の周囲には汁受け皿５と五徳６とが設けられている。更に、バーナヘッド４の外側には、点火プラグ７及び熱電対８が配設されている。また、天板２の手前側には、各コンロバーナ３を運転操作するための操作摘み９が配置されている。なお、符号３ａで示した突起は点火用ターゲットである。
【００１６】
図２に示すように、天板２は、コンロ筐体１０の上面を覆っており、その一部にバーナ用開口１１が形成されている。コンロバーナ３のバーナヘッド４はバーナ用開口１１から露出する。コンロバーナ３は、コンロ筐体１０の底板１２上に設けた図示しない台座に固定されたバーナ本体１３と、バーナ本体１３の上部に着脱自在に載置されたバーナヘッド４とを備えている。
【００１７】
バーナヘッド４の外周には、多数の炎孔１４が形成されている。炎孔１４からは、バーナ本体１３の内部空間に供給された燃料ガスがバーナヘッド４の内部空間を経て噴出する。炎孔１４から噴出する燃料ガスは、点火プラグ７の火花放電により点火され、炎孔１４への着火は熱電対８により検出される。
【００１８】
点火プラグ７は、汁受け皿５に形成されたバーリング孔状の点火プラグ用透孔１５（図３参照）を介して上方に突出する。熱電対８（図１参照）も点火プラグ７と同様に、バーリング孔状の熱電対用透孔１６（図３参照）を介して汁受け皿５から上方に突出する。
【００１９】
汁受け皿５は、円環状の板材により形成され、バーナヘッド４の外周面と天板２のバーナ用開口１１の内周縁との間の間隙を塞ぐようにして設けられている。汁受け皿５の外周縁部には鍔状に張り出す張出部１７が形成されており、この張出部１７が天板２のバーナ用開口１１の内周縁に沿って設けられたパッキン１８に載置されることにより、バーナ用開口１１の周縁部に吊設されている。
【００２０】
また、汁受け皿５の上面には五徳６が載置される。五徳６は、周方向に間隔を存して配置した４つの五徳爪１９と、これら五徳爪１９を連結する円環状の五徳枠２０とで構成されている。五徳６は鋳物により形成され、各五徳爪１９と五徳枠２０とは一体に形成されている。なお、本実施形態においては、４つの五徳爪１９を備える五徳６を示したが、これに限るものではなく、五徳爪１９は３つ、或いは５つや６つ設けられていてもよい。
【００２１】
図２に示すように、バーナ用開口１１の内周縁近傍には、バーナ用開口１１から上方に突出する突出部材２１が設けられている。突出部材２１は、図１に示すように、バーナ用開口１１の内周縁に沿って所定間隔を存して３つ設けられている。
【００２２】
突出部材２１は、図２に示すように、コンロ筐体１０の底板１２に立設された柱状部材２２と、柱状部材２２の上端にねじ部材２３により一体的に連結されて汁受け皿５を貫通する貫通部材２４とで構成されている。なお、柱状部材２２の上端には、ねじ部材２３により貫通部材２４と共締めされて、パッキン１８をその内周側から押さえる押さえ部材２５が設けられている。
【００２３】
汁受け皿５には、図３に示すように、突出部材２１の貫通部材２４が貫通する貫通孔２６が形成されている。汁受け皿５は、貫通孔２６に突出部材２１の貫通部材２４が貫通して回り止めされる。これによれば、例えば、汁受け皿５を貫通して設けられている点火プラグ７や熱電対８の損傷を防止することができる。
【００２４】
また、図４（ａ）及び図４（ｂ）に示すように、五徳６の五徳枠２０の下端面には凹部２７が形成されている。この凹部２７には、図２に示すように、汁受け皿５を貫通した貫通部材２４の先端部が係合する。これにより、五徳６は、バーナ用開口１１の周方向への回転が防止される。そして、バーナヘッド４の各炎孔のうち五徳爪１９の炙りを防止するための小炎孔が設けられている場合には、小炎孔の位置に五徳爪１９が対応した状態を確実に維持することができる。更に、五徳枠２０の凹部２７は、貫通部材２４に係合して汁受け皿５の貫通孔２６をその上方から覆うので、煮汁や食用油等が貫通孔２６からコンロ筐体１０の内部に入り難い。
【００２５】
このように、本実施形態によれば、突出部材２１の貫通部材２４を汁受け皿５の貫通孔２６を貫通させ、更に汁受け皿５の貫通孔２６を貫通する貫通部材２４に五徳枠２０の凹部２７を係合させるので、汁受け皿５と五徳６とを簡単な構成で回り止めすることができる。
【００２６】
ところで、ガラス製の天板２は、美観が高いだけでなく、清掃性も高い。しかし、天板２上に高所から重量物を落下させた場合等には、天板２が割れることも考えられる。
【００２７】
そこで、本実施形態においては、図２に示すように、貫通部材２４に、規制部２８を設けている。汁受け皿５は、前述した通り、その張出部１７がパッキン１８を介してバーナ用開口１１の周囲に支持されている。ここで、万一天板２が割れると、汁受け皿５の支えがなくなり、汁受け皿５は貫通部材２４に沿ってコンロ筐体１０の内部へ落下しようとする。このとき、規制部２８が、汁受け皿５の底面の一部に当接して汁受け皿５の下方への動きを規制する。これにより、汁受け皿５は、コンロ筐体１０の内部に落下することなく、汁受け可能な姿勢が維持される。このとき、五徳６も、五徳枠２０の凹部２７が貫通部材２４に上方から係合していることにより、天板２が割れに殆ど影響を受けることなく、貫通部材２４によって支持された状態が維持される。従って、万一天板２が割れても、五徳６上に鍋等の調理容器を確実に支持して、調理を行うことができる。
【００２８】
なお、本実施形態においては、ガラス製の天板２を採用したコンロ１について説明したが、金属製の天板を使用してもよい。金属製の天板は割れることがなく、汁受け皿５はバーナ用開口１１の周囲に支持された状態が維持されるので、この場合には、貫通部材２４に規制部２８を設けなくてもよい。
【００２９】
また、本実施形態においては、突出部材２１を３つ設けたことによって、ガラス製の天板２が万一割れた場合に、３箇所で汁受け皿５と五徳６とを安定して支持可能となるものを示したが、突出部材２１は３つ以上設けてもよい。
【００３０】
更に、金属製の天板を使用する等によって天板の割れを考慮することが不要であれば、突出部材２１は１つ設けておけばよい。突出部材２１を１つ設けておくだけでも、汁受け皿５と五徳６との夫々の回転を確実に防止することができる。
【００３１】
また、本実施形態においては、突出部材２１を、コンロ筐体１０の底板１２に立設した柱状部材２２と、柱状部材２２の上端にねじ部材２３により一体的に連結した貫通部材２４とで構成したものを挙げたが、本発明の突出部材はこの構成に限るものではない。例えば、他の実施形態としてその一部を図５に示すように、下端部をコンロ筐体１０の底板１２に連結して立設状態とし、上端部に汁受け皿５の貫通孔２６を貫通して五徳枠２０の凹部２７に係合する貫通部２９を形成した突出部材３０を設けてもよい。これによれば、突出部材３０を構成する部品点数を少なくして一層構造簡単とすることができる。
【符号の説明】
【００３２】
１…コンロ、２…天板、３…コンロバーナ、４…バーナヘッド、５…汁受け皿、６…五徳、１０…コンロ筐体、１１…バーナ用開口、１４…炎孔、２１，３０…突出部材、２６…貫通孔、２７…凹部、２８…規制部。
【図１】
2014206357.tif 000003
【図２】
2014206357.tif 000004
【図３】
2014206357.tif 000005
【図４】
2014206357.tif 000006
【図５】
2014206357.tif 000007